(57)【特許請求の範囲】
【請求項１】
情報を取得する情報取得手段と、
上記情報取得手段が取得した情報を蓄積する情報蓄積部と、
上記情報蓄積部に蓄積された情報を使用者が認識できる状態で提示する情報提示手段と、
上記情報提示手段による提示動作に対応する操作信号を生成する操作キーのロック及び解除を行うロック制御手段とを備え、
上記ロック制御手段は、
全ての提示動作に対応する操作信号を生成する操作キーがロック状態で、上記情報取得手段が情報を取得したとき、取得した情報に対応する提示動作に必要な操作キーのみロックを解除することを特徴とする情報処理装置。
【請求項２】
全ての提示動作に対応する操作信号を生成する操作キーがロック状態で、上記ロック制御手段による全ての提示動作に対応する操作信号を生成する操作キーのロック開始時を起点として、上記情報蓄積部に蓄積される情報の情報量が増加したか否かを検知する情報量検知手段をさらに備え、
上記ロック制御手段は、
上記情報量検知手段により情報量が増加したことが検知されたときに、増加した情報に対応する提示動作に対応する操作信号を生成する操作キーのロックを解除することを特徴とする請求項１に記載の情報処理装置。
【請求項３】
上記ロック制御手段による全ての提示動作に対応する操作信号を生成する操作キーのロック開始時に、上記情報蓄積部に蓄積された情報の情報量を基準量として記憶する基準量記憶部をさらに備え、
上記情報量検知手段は、
上記情報蓄積部に蓄積された情報の情報量と、上記基準量記憶部に記憶された基準量とを比較し、情報量の増加を検知することを特徴とする請求項２に記載の情報処理装置。
【請求項４】
上記情報提示手段による提示動作を操作するための操作信号それぞれについて、操作が有効または無効の何れかを示す操作許可情報が記録された操作許可テーブルをさらに備え、
上記ロック制御手段は、
上記操作許可テーブルを参照して、操作信号に対応する操作許可情報が操作の有効を示す場合に、当該操作信号に対応する情報の提示動作に対応する操作信号を生成する操作キーのロックを解除状態とし、操作信号に対応する操作許可情報が無効を示す場合に、当該操作信号に対応する情報の提示動作に対応する操作信号を生成する操作キーをロック状態とすると共に、
全ての提示動作に対応する操作信号を生成する操作キーがロック状態で、上記情報量検知手段により情報量が増加したことが検知されたときに、増加した情報に対応する提示動作の操作信号の、上記操作許可テーブルに記録された操作許可情報を更新して、該操作許可情報が操作の有効を示す状態にすることを特徴とする請求項２または３に記載の情報処理装置。
【請求項５】
少なくともファクシミリ機能および留守番電話録音機能を備え、
上記情報取得手段が取得する上記情報は、少なくともファクシミリ機能で受信したファクシミリ情報および留守番電話録音機能で録音した録音情報を含むことを特徴とする請求項１から４の何れか１項に記載の情報処理装置。
【請求項６】
上記ロック制御手段は、
全ての提示動作に対応する操作信号を生成する操作キーがロック状態で、上記情報取得手段が情報を取得したとき、取得した情報に対応する提示動作に対応する操作信号を生成する操作キーのロックを解除し、ロック解除から所定の時間が経過したときに、上記ロック解除した提示動作に対応する操作信号を生成する操作キーのロックを行うことを特徴とする請求項１から５の何れか１項に記載の情報処理装置。
【請求項７】
上記各提示動作に対応する操作信号を入力するためのキーを含む入力手段と、
上記入力手段が備える各キーを点灯させるための照明手段とをさらに備え、
さらに、上記ロック制御手段が、ロック状態になっていない提示動作に対応するキーを点灯させるよう上記照明手段を制御することを特徴とする請求項１から６の何れか１項に記載の情報処理装置。
【請求項８】
請求項１から７の何れか１項に記載の情報処理装置を動作させる制御プログラムであって、コンピュータを上記の各手段として機能させるための制御プログラム。
【請求項９】
請求項８に記載の制御プログラムを記録したコンピュータ読み取り可能な記録媒体。
【請求項１０】
使用者が認識できる状態で情報を提示する情報提示ステップと、
上記情報提示ステップにおける全ての提示動作に対応する操作信号を生成する操作キーのロックを行うロックステップと、
上記ロックステップにより全ての提示動作に対応する操作信号を生成する操作キーがロックされている状態で、上記情報が取得されたとき、取得された情報に対応する提示動作に必要な操作キーのみロックを解除するロック解除ステップとを含むことを特徴とする情報処理装置の制御方法。
【発明の詳細な説明】
【技術分野】
【０００１】
本発明は、通信網を介して情報を受信し、提示を行う情報処理装置、制御プログラム、コンピュータ読み取り可能な記録媒体および情報処理装置の制御方法に関するものである。
【背景技術】
【０００２】
従来、ネットワークから取得した情報を記録し、種々のキー操作を行うことで、記録した情報を提示することができる情報処理装置が開発されてきた。今日、非常に多くの種類の情報処理装置が存在し、また、情報処理装置の備える機能は、近年の技術的進歩に伴って、より高度に、より多機能になってきている。
【０００３】
この反面、情報処理装置が備える機能を、誤って動作させてしまうと、不測の不利益を被るおそれがある。例えば、意図しない機能を動作させてしまったり、重要な情報を破損させてしまったりするという不都合がある。
【０００４】
このため、これまで、情報処理装置が備える機能の誤動作を防ぐためのさまざまな措置が考案されてきた。例えば、情報処理装置には、誤ってキー操作を行わないように、キー操作を無効にしておくキーロック機能を備えたものがある。
【０００５】
従来のキーロック機能は、例えば、情報処理装置がキーロック機能ボタンを備えており、上記キーロック機能ボタンのキー操作を受け付けることにより、キーロック機能の作動と解除と行う構成で実現されていた。
【０００６】
しかし、このように、単純に、キーロック機能ボタンの操作によって、キーロック機能の作動と解除と行う構成では、種々の不都合が生じる場合がある。ここでは、一例として、情報処理装置がファクシミリ機能および留守番電話録音機能を備える電話機（以下、ＦＡＸ留守番電話機と称する。）であった場合について説明する。上記ＦＡＸ留守番電話機は、キーロック機能の作動と解除と行うためのキーロック機能ボタンと、電話着信に応じて、ＦＡＸ留守番電話機を通話状態にするためのオフフックキーと、上記通話状態を解除するためのオンフックキーとを備えているものとする。
【０００７】
上記構成の不都合について説明すると、次のとおりである。すなわち、予めキーロック機能が作動している状態で、ＦＡＸ留守番電話機に電話着信があった場合、ユーザがオフフックキーを押して、電話に応答しようとしても、オフフックキーの操作が無効であるため、ユーザは電話に出ることができないという不都合がある。
【０００８】
このため、このキーロック機能の利便性を向上させるため、様々な種類の提案がなされている。
【０００９】
上記のように、情報処理装置がＦＡＸ留守番電話機であった場合について、再び例示すると、ＦＡＸ留守番電話機において、予めキーロック機能が作動している状態で、着信を受けた場合、キーロック機能を一時的に解除し、ＦＡＸ留守番電話機が備える各種操作キーのキー操作を有効とするＦＡＸ留守番電話機が提案されている。
【００１０】
このようなＦＡＸ留守番電話機の動作の詳細について以下に説明する。図１０は、従来の情報処理装置としてのＦＡＸ留守番電話機の動作の一例を示すフローチャートである。
【００１１】
まず、ＦＡＸ留守番電話機は、キーロック機能ボタンの入力により、予めキーロック状態となっている（Ｓ５０１）。この状態のまま、ＦＡＸ留守番電話機は、キーロック状態のままで着信を待ち受ける（Ｓ５０２においてＮｏ）。
【００１２】
ここで、ＦＡＸ留守番電話機は、電話着信があれば（Ｓ５０２においてＹｅｓ）、キーロック機能ボタンの入力がなくても、キーロック機能を一時的に解除し（Ｓ５０３）、ＦＡＸ留守番電話機が備える操作キーの入力を受け付ける。そして、ＦＡＸ留守番電話機は、オフフックキーの入力を受け付け、通話状態となる（Ｓ５０４）。
【００１３】
その後、オンフックキーの入力を受け付けたことによって通話が終了したことを、ＦＡＸ留守番電話機が検知すると（Ｓ５０５）、通話状態が解除される。その後、ＦＡＸ留守番電話機は、キーロック機能ボタンの入力がなくても、再びキーロック機能を有効にする（Ｓ５０６）。
【００１４】
このように、従来、電話着信があった際には、ＦＡＸ留守番電話機のキーロック機能を一時的に解除することで、オフフックキーの入力を受け付け、通話状態を実現する技術が提案されている。
【００１５】
しかしながら、通話状態となった際に、ＦＡＸ留守番電話機が、ファクシミリ（以下、ＦＡＸと称する）通信を受けた場合には、さらなる不都合が生じることが考えられる。ここで、ＦＡＸ留守番電話機は、ＦＡＸ機能を操作するためのＦＡＸ操作キーをさらに備えているものとする。
【００１６】
この場合、上記の構成では、電話による通信が終了し、通話状態が解除された時点で、キーロック機能が作動してしまい、ＦＡＸ操作キーは無効となる。よって、ＦＡＸ留守番電話機が通話状態の解除後に受信したＦＡＸ通信に対応することができない。
【００１７】
上記の不都合を解消すべく、例えば、次のようなキーロック機能も提案されている。すなわち、上記の例において、ＦＡＸ留守番電話機における通話状態が解除された後、キーロック機能ボタンによって、もしくは、所定の時間が経過することによって、ＦＡＸ留守番電話機のキーロック機能を有効にするキーロック機能である。
【００１８】
このようなＦＡＸ留守番電話機の動作の詳細について以下に説明する。図１１は、従来の情報処理装置としてのＦＡＸ留守番電話機の動作の一例を示すフローチャートである。なお、Ｓ６０１からＳ６０５までの動作については、すでに説明したＳ５０１からＳ５０５までと同様であるので、その説明を省略する。通話終了後、ＦＡＸ留守番電話機は、まず、自機が備えるタイマーの設定を初期化し（Ｓ６０６）、経過時間のカウントを開始する。次に、自機が備えるキーロック機能ボタンが押下されたかどうかを検出する（Ｓ６０７）。
【００１９】
ここで、キーロック機能ボタンの押下を検出すれば（Ｓ６０７においてＹｅｓ）、そのまま、ＦＡＸ留守番電話機はキーロック状態となり（Ｓ６１０）、キー操作を受け付けなくなる。
【００２０】
一方、キーロック機能ボタンが押下されなかった場合（Ｓ６０７においてＮｏ）、ＦＡＸ留守番電話機は、キー操作を受け付ける。そして、ＦＡＸ留守番電話機は、所定の時間内に、キー操作があれば（Ｓ６０８においてＹｅｓ）、タイマーの設定を再び初期化し、経過時間のカウントを元に戻す（Ｓ６０６）。一方、所定の時間内に、キー操作がなければ（Ｓ６０８においてＮｏ）、ＦＡＸ留守番電話機は、経過時間がタイムアップの時間に達しているかどうかを判定する（Ｓ６０９）。
【００２１】
次に、ＦＡＸ留守番電話機は、経過時間がタイムアップの時間に達していなければ（Ｓ６０９においてＮｏ）、再びキーロック機能ボタンおよびキー操作を受け付ける（Ｓ６０７）。一方、経過時間がタイムアップの時間に達していれば（Ｓ６０９においてＹｅｓ）、ＦＡＸ留守番電話機は、キーロック機能を有効にし、キー操作を受け付けなくなる。
【００２２】
このように、キーロック機能の利便性を向上させるため、従来、ＦＡＸ留守番電話機においてタイマーを設け、所定の操作終了後、時間差でキーロック機能を有効にすることが提案されている。
【００２３】
さらに例示すれば、特許文献１にも、無線通信装置において、ユーザからのキー操作が一定時間無い場合に、キーロック機能を有効にする技術が開示されている。そして、特許文献２においては、上述のようなキーロック機能に加えて、操作キーのうち、キーロック機能の対象となる操作キーを予め設定する技術が記載されている。
【００２４】
また、特許文献３および４に、キーロック機能が作動している状態で、携帯通信端末が着信を受けた場合、着信内容に応じてキーロック機能の制御内容を変更する技術が開示されている。より詳細には、特許文献３および４には、着信の種類に応じて携帯通信端末に備えられた特定の操作キーのロックを解除することについて提案されている。さらには、特定の操作キーのロックが解除されたあと、再びキーロック機能が作動するまでの所要時間を設定することが提案されている。
【特許文献１】特開２００４−１１２３５３号公報（２００４年４月８日公開）
【特許文献２】特開平１１−２７３８３号公報（１９９９年１月２９日公開）
【特許文献３】特開２００４−３２８５７３号公報（２００４年１１月１８日公開）
【特許文献４】特開２００７−２１５２２１号公報（２００７年８月２３日公開）
【発明の開示】
【発明が解決しようとする課題】
【００２５】
しかしながら、上記従来技術の構成では、ＦＡＸ留守番電話機が、ユーザからのキー操作が一定時間無いと判断した場合には、画一的に、ＦＡＸ留守番電話機のキーロック機能が作動していた（例えば特許文献１，２）。
【００２６】
例えば、電話着信の後、ＦＡＸ留守番電話機が備える留守番電話録音機能により、通話内容を録音する場合、一定時間が経過するとＦＡＸ留守番電話機のキーロック機能が作動していた。また、録音した通話内容を、再生している途中で、ＦＡＸ留守番電話機が、ユーザからのキー操作が一定時間無いと判断し、キーロック機能を有効にしてしまっていた。
【００２７】
このため、ユーザは、別の通話内容を聴取するには、キーロック機能ボタンを操作し、キーロック機能を解除した状態にして、通話内容の聴取操作をしなければならず、また、通話内容の聴取操作が終わった後には、再度、キーロック機能ボタンを操作し、ＦＡＸ留守番電話機のキーロック機能を有効にしなければならず手間がかかった。
【００２８】
また、例えば、ＦＡＸ留守番電話機が備えるＦＡＸ通信を利用する際にも、ＦＡＸ通信を、自機が備えるメモリに一時保存した場合、ＦＡＸ通信の内容を閲覧している途中で、ＦＡＸ留守番電話機が、ユーザからのキー操作が一定時間無いと判断し、キーロック機能を有効にしてしまっていた。
【００２９】
このため、ユーザは、ＦＡＸ通信の内容の閲覧を継続しようと思えば、上記と同様の手間をかけなければならなかった。
【００３０】
上記の問題に対し、ＦＡＸ留守番電話機において、タイムアップの時間に達するまでの経過時間を大きな値に設定してしまうと、キーロック機能の本来の目的を没却することになる。
【００３１】
もしくは、従来の技術においては、次善の策として、特許文献３および４に記載の携帯通信端末のように、着信の種類に応じて、特定のキーのキーロック機能を解除することにとどまっていた。換言すれば、着信の種類に応じて、画一的に特定の操作キーのキーロック機能を解除していたため、キーロック機能を解除しなくてもよい操作キーについても、キー操作が可能になっていた。
【００３２】
本発明は、上記の問題点に鑑みてなされたものであり、その目的は、操作が必要な操作キーのみ、的確にキーロック機能を解除するよう制御を行うことができる情報処理装置、制御プログラム、コンピュータ読み取り可能な記録媒体および情報処理装置の制御方法を実現することにある。
【課題を解決するための手段】
【００３３】
本発明に係る情報処理装置は、上記課題を解決するために、情報を取得する情報取得手段と、上記情報取得手段が取得した情報を蓄積する情報蓄積部と、上記情報蓄積部に蓄積された情報を使用者が認識できる状態で提示する情報提示手段と、上記情報提示手段による提示動作のロック及び解除を行うロック制御手段とを備え、上記ロック制御手段は、全ての提示動作がロック状態で、上記情報取得手段が情報を取得したとき、取得した情報に対応する提示動作のロックを解除することを特徴としている。
【００３４】
また、本発明に係る情報処理装置の制御方法は、上記課題を解決するために、使用者が認識できる状態で情報を提示する情報提示ステップと、上記情報提示ステップにおける全ての提示動作のロックを行うロックステップと、上記ロックステップにより全ての提示動作がロックされている状態で、上記情報が取得されたとき、取得された情報に対応する提示動作のロックを解除するロック解除ステップとを含むことを特徴としている。
【００３５】
上記構成によれば、ロック制御手段によって、情報蓄積部に蓄積された情報の提示動作がロックされている状態であっても、情報取得手段により情報が取得されたときに、取得された情報を提示するための提示動作のロックが解除されるので、情報処理装置の使用者自らが提示すべき情報のみの提示動作のロックを解除する必要がなくなる。
【００３６】
これにより、情報提示手段による提示動作のロック状態での情報処理装置の利便性の向上を図ることができる。
【００３７】
本発明に係る情報処理装置では、全ての提示動作がロック状態で、上記ロック制御手段による全ての提示動作のロック開始時を起点として、上記情報蓄積部に蓄積される情報の情報量が増加したか否かを検知する情報量検知手段をさらに備え、上記ロック制御手段は、上記情報量検知手段により情報量が増加したことが検知されたときに、増加した情報に対応する提示動作のロックを解除することが好ましい。
【００３８】
上記構成によれば、ロック制御手段によって、情報蓄積部に蓄積された情報の提示動作がロックされている状態であっても、情報量検知手段により上記情報蓄積部に蓄積されている情報の情報量が増加したことが検知されたときに、増加した情報に対応する提示動作のロックが解除されるので、情報処理装置の使用者自らが提示すべき情報のみの提示動作のロックを解除する必要がなくなる。
【００３９】
これにより、情報提示手段による提示動作のロック状態での情報処理装置の利便性の向上を図ることができる。
【００４０】
本発明に係る情報処理装置では、上記ロック制御手段による全ての提示動作のロック開始時に、上記情報蓄積部に蓄積された情報の情報量を基準量として記憶する基準量記憶部をさらに備え、上記情報量検知手段は、上記情報蓄積部に蓄積された情報の情報量と、上記基準量記憶部に記憶された基準量とを比較し、情報量の増加を検知することが好ましい。
【００４１】
上記構成によれば、上記情報量検知手段が、上記情報蓄積部に蓄積された情報の情報量と、上記基準量記憶部に記憶された基準量とを比較することで、上記ロック制御手段による全ての提示動作のロック開示時からの情報量の増加を検知することができる。このため、上記情報量検知手段は、容易に情報量の増加を検知することができるというさらなる効果を奏する。
【００４２】
本発明に係る情報処理装置では、上記情報提示手段による提示動作を操作するための操作信号それぞれについて、操作が有効または無効の何れかを示す操作許可情報が記録された操作許可テーブルをさらに備え、上記ロック制御手段は、上記操作許可テーブルを参照して、操作信号に対応する操作許可情報が操作の有効を示す場合に、当該操作信号に対応する情報の提示動作を可能状態とし、操作信号に対応する操作許可情報が無効を示す場合に、当該操作信号に対応する情報の提示動作をロック状態とすると共に、全ての提示動作がロック状態で、上記情報量検知手段により情報量が増加したことが検知されたときに、増加した情報に対応する提示動作の操作信号の、上記操作許可テーブルに記録された操作許可情報を更新して、該操作許可情報が操作の有効を示す状態にすることが好ましい。
【００４３】
上記構成によれば、上記操作許可テーブルおいて、提示動作のロック及び解除を総合的に制御することができるというさらなる効果を奏する。
【００４４】
本発明に係る情報処理装置は、少なくともファクシミリ機能および留守番電話録音機能を備え、上記情報取得手段が取得する上記情報は、少なくともファクシミリ機能で受信したファクシミリ情報および留守番電話録音機能で録音した録音情報を含むことが好ましい。
【００４５】
上記構成によれば、ファクシミリ兼留守番電話機が扱う複数の種類の提示動作おける操作系の誤動作を防ぐことができる。ファクシミリ機能および留守番電話録音機能を備えるファクシミリ兼留守番電話機においても、キーロック機能の利便性を向上させることができるというさらなる効果を奏する。
【００４６】
本発明に係る情報処理装置では、上記ロック制御手段は、全ての提示動作がロック状態で、自装置が備える電話機能において、電話着信を受けたときに、全ての提示動作を解除し、上記電話機能による通話が終了したときに、上記情報取得手段が情報を取得していれば、取得した情報に対応する提示動作以外の提示動作のロックを行うことが好ましい。
【００４７】
上記構成によれば、ファクシミリ兼留守番電話機において、情報処理装置の状態に応じた、キーロック機能をユーザに提供することができる。このため、情報処理装置は、ユーザのニーズに即したキーロック機能を提供できるというさらなる効果を奏する。
【００４８】
本発明に係る情報処理装置では、上記ロック制御手段は、全ての提示動作がロック状態で、自装置が備える電話機能において、電話着信を受けたときに、全ての提示動作を解除し、上記電話機能による通話が終了したときから、一定時間経過後に、上記情報取得手段が情報を取得していれば、取得した情報に対応する提示動作以外の提示動作のロックを行うことが好ましい。
【００４９】
上記構成によれば、ファクシミリ兼留守番電話機において、情報処理装置の状態に応じた、キーロック機能をユーザに提供することができる。また、部分的にキーロック機能が有効となるタイミングを調整することができるので、多様なキーロック機能をユーザに提供することができる。すなわち、ユーザのニーズに即したキーロック機能を提供できるというさらなる効果を奏する。
【００５０】
本発明に係る情報処理装置では、上記ロック制御手段は、全ての提示動作がロック状態で、上記情報取得手段が情報を取得したとき、取得した情報に対応する提示動作のロックを解除し、ロック解除から所定の時間が経過したときに、上記ロック解除した提示動作のロックを行うことが好ましい。
【００５１】
さて、上記ロック制御手段は、全ての提示動作がロック状態で、上記情報取得手段が情報を取得したとき、取得した情報に対応する提示動作のロックを解除する。しかし、上記ロックを解除された提示動作について、そのままロックが解除されたままで長時間放置しておくと、かえって不測の誤操作を引き起こすおそれがある。
【００５２】
上記構成によれば、所定の時間が経過すれば、ロック解除されている提示動作について再びロックを行うので、不測の誤操作を防ぐというさらなる効果を奏する。
【００５３】
本発明に係る情報処理装置では、上記各提示動作に対応する操作信号を入力するためのキーを含む入力手段と、上記入力手段が備える各キーを点灯させるための照明手段とをさらに備え、さらに、上記ロック制御手段が、ロック状態になっていない提示動作に対応するキーを点灯させるよう上記照明手段を制御することが好ましい。
【００５４】
上記構成によれば、いずれのキーが「有効」となっているかを明確に示すことができ、ユーザの利便性が高まるというさらなる効果を奏する。
【００５５】
なお、上記情報処理装置における各手段を、制御プログラムによりコンピュータに実行させることができる。さらに、制御プログラムをコンピュータ読み取り可能な記録媒体に記憶させることにより、任意のコンピュータ上で上記制御プログラムを実行させることができる。
【発明の効果】
【００５６】
本発明に係る情報処理装置は、以上のように、情報を取得する情報取得手段と、上記情報取得手段が取得した情報を蓄積する情報蓄積部と、上記情報蓄積部に蓄積された情報を使用者が認識できる状態で提示する情報提示手段と、上記情報提示手段による提示動作のロック及び解除を行うロック制御手段とを備え、上記ロック制御手段は、全ての提示動作がロック状態で、上記情報取得手段が情報を取得したとき、取得した情報に対応する提示動作のロックを解除する構成である。
【００５７】
また、本発明に係る情報処理装置の制御方法は、以上のように、使用者にとって認識できる状態で情報を提示する情報提示ステップと、上記情報提示ステップにおける全ての提示動作のロックを行うロックステップと、上記ロックステップにより全ての提示動作がロックされている状態で、上記情報が取得されたとき、取得された情報に対応する提示動作のロックを解除するロック解除ステップとを含む方法である。
【００５８】
これにより、情報提示手段による提示動作のロック状態での情報処理装置の利便性の向上を図ることができる。
【発明を実施するための最良の形態】
【００５９】
本発明の一実施の形態について図１〜図９に基づいて説明すると以下の通りである。
【００６０】
〔情報処理装置についての説明〕
図１は、本発明の実施の形態を示すものであり、情報処理装置の要部構成の一例を示すブロック図である。同図に示すとおり、情報処理装置１は、通信部１０と、主制御部１２と、記憶部１４と、入力部１６と、情報提示部（情報提示手段）１８とを備える構成である。
【００６１】
通信部１０は、ネットワーク接続機能を実現するものである。本実施の形態では、情報処理装置１と、通信網２との接続を実現している。また、通信網２は、電話回線網であってもよいし、インターネット網であってもよい。通信部１０は、主制御部１２の命令に応じて、通信網２を介して、情報提示部１８に提示するための提示情報の供給元との通信を行ったり、他の情報処理装置と通信を行ったりする。
【００６２】
主制御部１２は、情報処理装置１が備える上述の各部の動作を統括的に制御するものである。主制御部１２の機能は、例えばＲＡＭ（Random Access Memory）やフラッシュメモリなどの記憶素子に記憶されたプログラムをＣＰＵ（Central Processing Unit）が実行することによって実現される。これに限られず、この主制御部１２は、例えばＰＣ（personal computer）ベースのコンピュータによって構成されていてもよい。そして、各種構成の動作制御は、制御プログラムをコンピュータに実行させることによって行われてもよい。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この主制御部１２がインターネットなどの通信ネットワークに接続された構成とする場合、この通信ネットワークを介して上記プログラムをダウンロードしてハードディスクなどにインストールして実行する形態なども考えられる。主制御部１２の詳細な構成については後段で説明する。
【００６３】
記憶部１４は、各種データおよびプログラムを記憶するものである。記憶部１４の例としては、主制御部１２が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データなどを記憶する書換え可能な不揮発性メモリ（例えばフラッシュメモリ）とが挙げられる。また、記憶部１４の一部がいわゆるメモリカードなどの外部記憶媒体によって実現されていてもよい。この記憶部１４の詳細については後述する。
【００６４】
入力部１６は、情報処理装置１の表面に設けられた操作キーなどの入力デバイスが、ユーザによって操作されたことを検知し、操作信号を生成して主制御部１２に送信するものである。入力デバイスとしては、操作キーの他にタッチパネルなどが挙げられる。
【００６５】
情報提示部１８は、主制御部１２から提示情報を受信し、受信した提示情報に基づいて、ユーザに対して提示を行うものである。提示情報とは、情報処理装置１において、ユーザに対して視覚的もしくは聴覚的または視聴覚的に提示することのできる情報のことである。提示情報の具体例については後述する。
【００６６】
情報提示部１８は、提示情報に対応したユーザインターフェースを備えている。例えば、情報提示部１８は、画像データを表示する表示部や、音声データを音波に変換して外部に出力するスピーカ部等を備える構成であってもよい。
【００６７】
〔記憶部の詳細〕
次に、記憶部１４の詳細について説明する。記憶部１４は、データを格納する領域として、操作許可テーブル２２と、基準情報量記録部（基準量記憶部）２４と、情報記録部２６とを含む。
【００６８】
操作許可テーブル２２は、情報処理装置１が、入力部１６からの操作信号が有効か否かを判定するために使用するキーロック情報を記録するための領域である。キーロック情報は、操作許可テーブル２２において、例えば、入力部１６が生成する操作信号の種類と、該操作信号を有効にするか否かを示す情報とを関連付けて記録される。
【００６９】
情報記録部２６は、提示情報および該提示情報の情報量を記憶するための領域である。提示情報の例としては、情報処理装置が備える留守番電話録音機能ならびに通話録音機能等による録音情報、および、ＦＡＸ通信機能によるＦＡＸ情報などが挙げられる。しかしながら、これに限られず、テキストデータ、動画データ、画像データ、音声データ、その他バイナリデータなど、種々のデータを記録するようにしてもかまわない。
【００７０】
また、上記提示情報の情報量としては、例えば、提示情報の件数、容量などの指標が採用できる。
【００７１】
基準情報量記録部２４は、情報記録部２６に記録されている提示情報の情報量が増加したことを、後述の情報検知部３８が検知するために用いる所定の基準量の設定を記録する領域である。上記所定の基準量は、上記提示情報全体で共通の基準量を設定していもよいし、上記提示情報の種類ごとに設定されるものであってもよい。
【００７２】
また、上記基準量を設定するタイミングについては、特に制限はなく、たとえば、入力部１６において、所定の操作キーが押下されたことを検知したタイミングで行ってもよい。また、上記基準量として採用する設定値については、上記所定の操作キーが押下された時点における、提示情報の情報量を採用することができる。
【００７３】
例えば、上記のように基準量を設定すれば、基準量を設定した後、該基準量と、提示情報の情報量とを比較することで、上記所定の操作キーが押下された時点からの、提示情報の情報量の増分を検知することができる。
【００７４】
〔主制御部の詳細〕
次に、主制御部１２の詳細について説明する。主制御部１２は、情報取得部（情報取得手段）３２と、キーロック制御部（ロック制御手段）３４と、情報提示制御部３６と、情報検知部（情報量検知手段）３８と、操作許可部（ロック制御手段）４０とを含む構成である。
【００７５】
情報取得部３２は、通信部１０を介して、他の情報処理装置等から取得した提示情報を、情報記録部２６に記録するものである。ここで、情報取得部３２は、上記提示情報の情報量も同時に情報記録部２６に記録する。
【００７６】
キーロック制御部３４は、入力部１６からの操作信号が、情報提示制御部３６に対して転送されることを、所定の条件下でブロックする制御を行うものである。
【００７７】
具体的には、キーロック制御部３４は、次のような制御を行う。まず、キーロック制御部３４は、入力部１６から送信される操作信号に基づいて、操作許可テーブル２２が記録しているキーロック情報を参照し、上記操作信号が有効か否かを判断する。そして、上記判断の結果、上記操作信号が有効であれば、キーロック制御部３４は、情報提示制御部３６に、上記操作信号を転送する一方、上記操作信号が有効でなければ情報提示制御部３６に、上記操作信号を転送しない。
【００７８】
また、本実施の形態においては、他にも、キーロック制御部３４は、後述の操作許可部４０の指示に基づいて、上記キーロック情報を更新する機能も備えている。
【００７９】
情報提示制御部３６は、キーロック制御部３４を経由して送信される入力部１６の操作信号に基づいて、情報記録部２６に記録されている提示情報を読み出し、情報提示部１８に提示情報が示す内容を提示するものである。
【００８０】
情報検知部３８は、情報処理装置１が記録している提示情報の増加を検知するものである。情報検知部３８は、より具体的には、情報記録部２６に記録されている提示情報の情報量と、基準情報量記録部２４に記録されている基準量とを比較することで、情報量の増分を算出する。そして、上記算出結果に基づいて提示情報の増加を検知する。
【００８１】
なお、情報検知部３８は、情報記録部２６に記録されている提示情報の種類が複数である場合は、種類ごとに情報量の増分の算出を行うようにしてもよい。また、上記基準量は、情報検知部３８によって設定される構成になっていてもよい。
【００８２】
操作許可部４０は、情報量が増加した提示情報に対応する操作信号が、キーロック制御部３４において、有効な操作信号として扱われるように制御するものである。具体的には、操作許可部４０は、情報検知部３８が提示情報の情報量の増加を検知すると、上記提示情報に対応する操作信号が有効となるよう操作許可テーブル２２にアクセスし、キーロック情報を更新する。上記提示情報に対応する操作信号とは、情報提示制御部３６が情報提示部１８において上記提示情報を提示するために必要な操作信号のことである。
【００８３】
以上のように、本実施の形態に係る情報処理装置１は、キーロック機能が作動していても、情報量が増加した提示情報に対応する操作信号については、有効な操作信号として扱うので、操作が必要な操作キーのみ、的確にキーロック機能を解除することができ、情報提示部１８での提示動作がロック状態である場合においても、情報処理装置の利便性の向上を図ることができる。
【００８４】
〔情報処理装置についてのさらに詳細な説明〕
上記構成の情報処理装置をＦＡＸ留守番電話機として機能させた場合の例について以下に説明する。
【００８５】
図２は、本発明の実施の形態を示すものであり、ＦＡＸ留守番電話機１０１の要部構成の一例を示すブロック図である。また、図２は、図１において示した情報処理装置の各要部構成をより詳細に表したものである。上記実施の形態で説明した構成と同様の機能を有する構成には同一の符号を付して、その説明を省略する。
【００８６】
図２に示すとおり、図１において示した情報処理装置１の構成のうち、記憶部１４と、入力部１６と、情報提示部１８とについて、ＦＡＸ留守番電話機１０１は、さらに詳細な構成を有している。また、同図に示すとおり、ＦＡＸ留守番電話機１０１は、図１において示した構成に加えて、さらに発光部４２と、タイマー部４４と、キーロック機能ボタン６４とを備えている。
【００８７】
〔記憶部について〕
まず、記憶部１４について説明する。記憶部１４の情報記録部２６は、提示情報としてＦＡＸ情報および録音情報を記録する。そして、さらに、情報記録部２６は、ＦＡＸ件数８０および録音件数８２を記録している。ＦＡＸ件数８０および録音件数８２は、情報取得部３２によって記録される。
【００８８】
なお、ＦＡＸ情報および録音情報は、情報提示部１８に提示される際には、情報提示制御部３６によって、それぞれ適切なデータ形式に変換される。ＦＡＸ情報は、情報提示部１８に提示される際には、情報提示制御部３６によって、印刷データ又は画像データに変換される。一方、情報提示部１８に提示される際には、情報提示制御部３６によって、録音情報は、音声データに変換される。
【００８９】
記憶部１４の基準情報量記録部２４は、所定の基準量として、ＦＡＸ件数８０に対応する基準ＦＡＸ件数８４、録音件数８２に対応する基準録音件数８６を記録する。本実施の形態においては、所定の基準量として、提示情報の件数を採用しているが、これに限られず、提示情報の容量を基準量として用いてもよい。
【００９０】
〔入力部について〕
次に、入力部１６について説明する。図２に示すように、入力部１６は、機能キー部６０と、テンキー部６２とを備える構成である。
【００９１】
機能キー部６０は、ＦＡＸ留守番電話機１０１のＦＡＸ留守番電話機としての機能に関する操作キーを有するものである。すなわち、機能キー部６０は、さらに、留守キー７０、録音キー７２、再生キー７４、ＦＡＸ閲覧キー７６および印刷キー７８を有する。これらの操作キーは、それぞれ、留守番電話録音機能、通話録音機能、録音再生機能、ＦＡＸ情報閲覧機能、ＦＡＸ情報印刷機能に関連している。また、テンキー部６２は、「０」〜「９」までの数字キーを含む構成である。上記各操作キーは、該操作キーの押下を検知すると、それぞれ固有の操作信号を生成する。
【００９２】
〔提示部について〕
次に、情報提示部１８について説明する。図２に示すように、情報提示部１８は、周辺機器制御部５０と、スピーカ部５２と、表示部５４と、印刷部５６とを備える構成である。
【００９３】
周辺機器制御部５０は、無線通信等を用いて、ＦＡＸ留守番電話機１０１に付属する子機３などを制御するものである。無線通信には、赤外線通信や、近距離無線通信などを用いることができる。また、周辺機器制御部５０は、ＦＡＸ留守番電話機１０１内の各種情報を、子機３に転送することができる。
【００９４】
スピーカ部５２は、主制御部１２から音声データを受信し、受信した音声データに基づいて、音波を生成して外部に出力するものである。本実施の形態においては、情報記録部２６に記録されている録音情報を提示する場合、スピーカ部５２は、情報提示制御部３６の制御に基づいて、上記録音情報の内容の提示を行う。
【００９５】
表示部５４は、主制御部１２から画像データを受信し、受信した画像データに基づいて表示画面に画像を表示するものである。表示部５４は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備える構成である。
【００９６】
本実施の形態において、表示部５４は、情報記録部２６に記録されているＦＡＸ情報の提示を行うものである。表示部５４は、情報提示制御部３６の制御に基づいて、上記ＦＡＸ情報の内容の画面表示を行う。
【００９７】
印刷部５６は、主制御部１２から印刷データを受信し、受信した印刷データに基づいて印刷紙に、印刷データの内容をプリントアウトするものである。表示部５４と同様、印刷部５６は、情報記録部２６に記録されているＦＡＸ情報の提示を行うものである。印刷部５６は、情報提示制御部３６の制御に基づいて、上記ＦＡＸ情報の内容のプリントアウトを行う。
【００９８】
〔その他詳細〕
発光部４２は、入力部の特定の操作キーを、ＬＥＤなどの光源によって点灯させるためのものである。
【００９９】
タイマー部４４は、時間情報を計測するものである。タイマー部４４が、上記時間情報の計測する手法としては、公知の技術を採用することができる。
【０１００】
キーロック機能ボタン６４は、キーロック制御部３４に、キーロック機能の作動および解除を行うよう指示するためのボタンである。図２に示すように、本実施の形態においては、入力部１６は、キーロック機能ボタン６４を個別のボタンとして備えているが、これに限られず、他の操作キーで代替してもよい。例えば、テンキー部６２の特定のボタンを長押しすることで、キーロック機能の作動および解除を行うようにしてもよい。
【０１０１】
〔提示情報の記録〕
次に、ＦＡＸ留守番電話機１０１における提示情報の記録について以下に説明する。ＦＡＸ留守番電話機１０１に対して、電話通信や、ＦＡＸ通信などの通信が発生すると、情報取得部３２は、通信部１０を介して上記録音情報およびＦＡＸ情報を取得し、情報記録部２６に記録する。ここで、情報取得部３２は、上記録音情報に対応する録音件数８２、および、上記ＦＡＸ情報に対応するＦＡＸ件数８０なども同時に情報記録部２６に記録する。
【０１０２】
なお、情報取得部３２は、通信部１０を介して取得した提示情報を、情報提示制御部３６に直接送信するようにしても良い。例えば、ＦＡＸ情報に関して、記憶部１４にＦＡＸ受信時の情報取得部３２の動作に関する設定を予め記憶しておき、情報取得部３２が、該設定に基づいて、取得したＦＡＸ情報を情報提示制御部３６に直接送るようにしてもよい。
【０１０３】
〔提示情報の提示〕
次に、ＦＡＸ留守番電話機１０１において提示情報を提示する動作について以下に説明する。情報記録部２６に記録されている各種提示情報を提示する場合は、ユーザは、入力部１６に備えられている各種操作キーを操作すればよい。
【０１０４】
まず、ＦＡＸ留守番電話機１０１のキーロック機能は解除されている場合を説明する。
【０１０５】
ＦＡＸ留守番電話機１０１は、入力部１６において、ユーザの操作を受け付ける。ここで、ＦＡＸ留守番電話機１０１は、機能キー部６０の有する再生キー７４が押下されたことを検出すると、情報記録部２６に記録されている録音情報を情報提示部１８のスピーカ部５２において再生する。
【０１０６】
また、ＦＡＸ留守番電話機１０１は、機能キー部６０の有するＦＡＸ閲覧キー７６が押下されたことを検出すると、情報記録部２６に記録されているＦＡＸ情報を情報提示部１８の表示部５４において提示する。
【０１０７】
また、ＦＡＸ留守番電話機１０１は、機能キー部６０の有する印刷キー７８が押下されたことを検出すると、情報記録部２６に記録されているＦＡＸ情報を情報提示部１８の印刷部５６において印刷する。
【０１０８】
次に、ＦＡＸ留守番電話機１０１において、キーロック機能が作動している場合について、以下に説明する。キーロック制御機能が有効となっている場合、すなわち、キーロック状態となっている場合は、機能キー部６０の操作キーが押下されることにより操作信号が生成されても、該操作信号は、所定の条件下、キーロック制御部３４においてブロックされる。
【０１０９】
操作信号がブロックされる条件について、以下に説明する。図３は、操作許可テーブル２２のデータ項目の一部を示す図である。同図が示すように、操作許可テーブル２２は、データ項目として、“情報種別”、“対象キー”、“有効／無効”を含む。すなわち、操作許可テーブル２２は、上記のデータ項目を含むキーロック情報を記憶するものである。
【０１１０】
ここで、“対象キー”には、キーロック機能による制御の対象となる操作信号を生成する操作キーに関する情報が格納される。例えば、「再生キー」など、機能キー部６０の有する各操作キーを示す情報が格納される。また、“有効／無効”には、上記 “対象キー”に対応する操作キーの操作信号が有効となっていることを示す「有効」か、あるいは有効でないことを示す「無効」が格納される。
【０１１１】
そして、“情報種別”には、制御の対象キーによって情報提示部１８に提示することができる提示情報に関する情報が格納される。例えば、図３に示すように、「再生キー」は、情報記録部２６に記録される提示情報のうち、「録音情報」をスピーカ部５２に提示する操作ができるので、「録音情報」と「再生キー」とが対応付けられて操作許可テーブル２２に格納されている。操作許可テーブル２２の１レコード目には、「録音情報」と「再生キー」とが対応付けられて格納されており、“有効／無効”は、「有効」であるので、「再生キー」の操作信号が有効であることがわかる。
【０１１２】
また、ＦＡＸ情報は、前述のとおり、表示部５４における提示と、印刷部５６における提示との２種類の提示方法がある。再び図３を参照すれば、「ＦＡＸ情報」に対しては、「ＦＡＸ閲覧キー」および「印刷キー」が対応づけられている。また、「ＦＡＸ閲覧キー」および「印刷キー」はどちらも「無効」になっている。
【０１１３】
上記のような、操作許可テーブル２２に記録されているキーロック情報を、キーロック制御部３４が読み出して、入力部１６からの各種操作信号が有効であるか否かを判定する。キーロック制御部３４は、「有効」な操作信号については、該操作信号を情報提示制御部３６に転送し、一方、「無効」な操作信号については、該操作信号をブロックする。
【０１１４】
再び図３を参照し、再生キーが押下された場合の動作について例示する。まず、再生キーが押下されたことにより、再生キーの操作信号を、キーロック制御部３４が受信すると、キーロック制御部３４は、「再生キー」について操作許可テーブル２２を参照する。キーロック制御部３４は、「再生キー」が「有効」であることを判定する。この判定に基づいて、キーロック制御部３４は、再生キーの操作信号を、情報提示制御部３６に対して転送する。
【０１１５】
続いて、情報提示制御部３６は、キーロック制御部３４から転送された再生キーの操作信号に基づいて、情報記録部２６から録音情報を読み出し、該録音情報をスピーカ部５２において提示するよう制御する。
【０１１６】
次に、ＦＡＸ留守番電話機１０１が備えるキーロック機能の特徴点についてさらに詳細に説明する。ＦＡＸ留守番電話機１０１は、キーロック機能ボタン６４を押下することによって、入力部１６の各操作キーをキーロック状態にする一括キーロック機能を備えている。
【０１１７】
また、ＦＡＸ留守番電話機１０１は、入力部１６の各操作キーがキーロック状態となっているときに、特定の操作キーについて、個別にキーロック機能を解除する部分キーロック解除機能を備える。以下、これらの機能について詳細に説明する。
【０１１８】
〔一括キーロック機能〕
前述のとおり、ＦＡＸ留守番電話機１０１では、キーロック機能ボタン６４の操作によって、キーロック機能を作動させたり、解除させたりできる。すなわち、ＦＡＸ留守番電話機１０１では、一括で、入力部１６の操作キーを、「有効」にしたり「無効」にしたりすることができる。
【０１１９】
本実施の形態においては、上記の特徴点を、次のような構成で実現している。すなわち、キーロック機能ボタン６４の押下を検知すると、キーロック機能ボタン６４の操作信号が、キーロック制御部３４に送信される。キーロック制御部３４は、キーロック機能ボタン６４の操作信号を受信すると、図３で示した、操作許可テーブル２２に記録されているキーロック情報を更新する。しかしながら、これに限られず、一括で、入力部１６の操作キーを、「有効」にしたり「無効」にしたりするための構成を別途設けてもかまわない。
【０１２０】
例えば、キーロック機能を解除する場合、キーロック制御部３４は、操作許可テーブル２２において、“有効／無効”が「無効」となっている“対象キー”については、上記“有効／無効”の設定値をすべて「有効」に更新する。
【０１２１】
また、ＦＡＸ留守番電話機１０１は、所定の時間、入力部１６において、操作が検知されない場合に、キーロック機能を有効にすることもできる。
【０１２２】
これは例えば、次のような手法によって実現することができる。すなわち、タイマー部４４が、最後に、入力部１６において、操作を検知した時点からの経過時間を計測する。そして、最後の操作を検知した時点から所定の時間が経過した時、すなわち、経過時間がタイムアップの時間に達している場合、タイマー部４４は、所定の時間を経過したことを示す無操作情報を、キーロック制御部３４に送信する。上記無操作情報を受信したキーロック制御部３４は、操作許可テーブル２２のすべての“対象キー”について、「無効」を設定する。
【０１２３】
以上が、入力部１６において、キーロック機能ボタン６４以外の操作キーの操作信号を一括して無効にするときにおけるＦＡＸ留守番電話機１０１の各主要部の動作である。
【０１２４】
〔部分キーロック解除機能〕
次に、キーロック機能が作動している場合に、機能キー部６０において、一部の操作キーのキー操作を許可する動作について説明する。本実施の形態に係るＦＡＸ留守番電話機１０１は、情報取得部３２が、提示情報を情報記録部２６に記録することで、情報提示部１８において、提示情報を提示する動機が発生したとき、該提示情報の提示するための操作キーのキー操作を許可する。
【０１２５】
情報検知部３８が、情報記録部２６に記録されている提示情報の情報量と、基準情報量記録部２４に記録されている基準量とを比較し、提示情報の増加を検知する。
【０１２６】
情報検知部３８が提示情報の増加を検知したとき、操作許可部４０は、提示情報の情報種別に対応する操作キーが「有効」となるよう操作許可テーブル２２に記録されているキーロック情報を更新する。
【０１２７】
より詳細には、情報検知部３８は、情報記録部２６に記録されている録音件数８２と、基準情報量記録部２４に記録されている基準録音件数８６とを比較し、録音情報の増加を検出する。また、情報検知部３８は、情報記録部２６に記録されているＦＡＸ件数８０と、基準情報量記録部２４に記録されている基準ＦＡＸ件数８４とを比較し、ＦＡＸ情報の増加を検出する。
【０１２８】
ここで、基準情報量記録部２４に記録されている基準録音件数８６および基準ＦＡＸ件数８４の設定の手法について説明する。まず、本実施の形態において、基準録音件数８６および基準ＦＡＸ件数８４は、情報検知部３８によって設定される。ただし、これに限られず、基準録音件数８６および基準ＦＡＸ件数８４を設定する専用の構成があってもよい。
【０１２９】
上記の設定処理は、例えば、次のようなタイミングで行ってもよい。すなわち、キーロック制御部３４が、キーロック機能ボタン６４以外の操作キーの操作信号を一括して無効にしたときを情報検知部３８が検知したとき、情報検知部３８が、基準録音件数８６および基準ＦＡＸ件数８４の初期化設定を行えばよい。本実施の形態においては、上記初期化設定は、キーロック機能ボタン６４が押下されたときや、所定の時間、入力部１６において操作が検知されなかったとき等を機会に、情報検知部３８によって行われる。
【０１３０】
上記初期化設定において、情報検知部３８は、例えば、基準録音件数８６を、そのときの録音件数８２より５件多い件数、および、基準ＦＡＸ件数８４を、そのときのＦＡＸ件数８０より１件多い件数に設定することができる。
【０１３１】
そして、例えば、情報検知部３８は、録音件数８２が、基準録音件数８６以上になったことを検知する。ＦＡＸ件数８０についても同様である。
【０１３２】
すなわち、上記のように設定した場合、情報検知部３８は、初期化設定から、録音情報が５件増加したこと、および、ＦＡＸ情報が１件増加したことを検知することになる。
【０１３３】
なお、情報検知部３８が、提示情報の情報量と、所定の基準量とを比較するタイミングは、特に限定されない。例えば、情報取得部３２が、提示情報を情報記録部２６に記録したときを機会に、情報検知部３８は、上記比較を行うようにすることができる。
【０１３４】
また、提示情報の情報量と、所定の基準量とを比較する方法についても、種々の手法を採用することができる。例えば、初期化設定時からの録音情報の記録件数の増分を記録開始し、該記録件数が所定の件数に達したときに情報検知部３８が、提示情報の情報量の増加を検出するようにしてもよい。
【０１３５】
情報検知部３８は、提示情報の増加を検出したとき、増加を検出した提示情報の情報種別を操作許可部４０に送信する。例えば、ＦＡＸ情報について増加を検出した場合、情報検知部３８は、情報種別として「ＦＡＸ情報」を操作許可部４０に送信する。
【０１３６】
次に、情報検知部３８が、提示情報の増加を検出したときの操作許可部４０の動作について説明する。操作許可部４０は、情報検知部３８から送信された情報種別に基づいて、操作許可テーブル２２を読み出し、対応する“対象キー”が「有効」になるようキーロック情報を更新する。例えば、情報検知部３８から、「ＦＡＸ情報」の情報種別を受信したとき、操作許可部４０は、「ＦＡＸ情報」に対応づいている、「ＦＡＸ閲覧キー」および「印刷キー」について「有効」を設定するよう制御する。
【０１３７】
このように、本実施の形態に係るＦＡＸ留守番電話機１０１では、キーロック機能が動作しているときに入力部１６の備える一部の操作キーを「有効」とすることができる。いうなれば、ＦＡＸ留守番電話機１０１を、部分キーロック状態にすることができる。
【０１３８】
〔処理の流れ〕
次に、図４〜６に示すフローチャートを参照しながら、ＦＡＸ留守番電話機１０１の動作について説明する。図４はＦＡＸ留守番電話機１０１の動作の一例について説明したフローチャートである。また、図５および６は、図４に示す「初期化処理」のステップおよび「許可キー設定」のステップにおける定義済み処理について説明したフローチャートである。
【０１３９】
まず、ＦＡＸ留守番電話機１０１の備える入力部１６における操作キーは、キーロック機能ボタン６４以外は、すべて無効となっている。すなわち、キーロック状態である（Ｓ１０１）。次に、提示情報の情報量について、初期化処理が行われる（Ｓ１０２）。
【０１４０】
ここで、図５を参照し、初期化処理について説明する。初期化処理では、提示情報の各情報種別について、基準量を設定する。まず、ＦＡＸ留守番電話機１０１は、キーロック状態となった時点での録音件数８２を、基準録音件数８６として記録し（Ｓ２０１）、そして、キーロック状態となった時点でのＦＡＸ件数８０を基準ＦＡＸ件数８４として記録する（Ｓ２０２）。
【０１４１】
本実施の形態においては、基準録音件数８６および基準ＦＡＸ件数８４を記録する構成だが、これに限られず、ＦＡＸ留守番電話機１０１が他の種別の提示情報に関する情報量を記録できるのであれば、上記の初期化処理に含めることができる。
【０１４２】
初期化処理が終了すると、ＦＡＸ留守番電話機１０１は、着信を待機する（Ｓ１０３においてＮｏ）。そして、ＦＡＸ留守番電話機１０１が記録可能な提示情報についての着信があった場合（Ｓ１０３においてＹｅｓ）、許可キー設定の処理を行う（Ｓ１０４）。
【０１４３】
ここで、図６を参照して、許可キー設定処理について詳細に説明する。許可キー設定処理では、提示情報の各情報種別について、情報量の変化があるかどうかを検知する。すなわち、録音件数８２が初期化処理時から変化しているかを判定する（Ｓ３０１）。もし、録音件数８２が初期化処理時から変化している場合（Ｓ３０１においてＹｅｓ）は、録音情報について“対象キー”を有効化するとともに、次の処理に進む（Ｓ３０２）。“対象キー”を有効化する手法については、前述のとおりである。一方、録音件数８２が初期化処理時から変化していない場合（Ｓ３０１においてＮｏ）は、次の処理に進む。
【０１４４】
そして、ＦＡＸ件数８０が初期化処理時から変化しているかを判定する（Ｓ３０３）。もし、ＦＡＸ件数８０が初期化処理時から変化している場合（Ｓ３０３においてＹｅｓ）は、ＦＡＸ情報について“対象キー”を有効化し、その後、元の処理に戻る（Ｓ３０４）。一方、ＦＡＸ件数８０が初期化処理時から変化していない場合（Ｓ３０３においてＮｏ）は、元の処理に戻る。
【０１４５】
本実施の形態においては、録音件数８２およびＦＡＸ件数８０の変化について検知したが、ＦＡＸ留守番電話機１０１が他の情報種別の提示情報を記録する場合は、上記許可キー設定処理において、上記他の情報種別の提示情報の件数の変化に基づいて、“対象キー”を「有効」にする処理をおこなってもよい。
【０１４６】
そして、許可キー設定処理を行ったのち、「有効」な操作キーが設定されていないのであれば、ＦＡＸ留守番電話機１０１は、一括でキーロック状態となったままである（Ｓ１０５においてＮｏ）。その後処理は終了する。ここで、「有効」な操作キーが設定されている場合（Ｓ１０５においてＹｅｓ）、ＦＡＸ留守番電話機１０１は、以下のように動作する。
【０１４７】
まず、時間経過を計測するため、タイマー部４４において、時間情報が初期化され、経過時間の計測が開始される（Ｓ１０６）。そして、入力部１６において、キー操作を受け付ける。ここで、キー操作があれば（Ｓ１０７においてＹｅｓ）、ＦＡＸ留守番電話機１０１において、「有効」な操作キーであるか否かが判定される。ここで、入力された操作キーが「有効」であれば（Ｓ１０８においてＹｅｓ）、経過時間の計測を再び初期化する（Ｓ１０６に戻る）。これは、引き続きキー操作を待機する間に、タイムアップの時間に達してしまい、キーロック状態にならないようにするためである。
【０１４８】
一方、Ｓ１０７において、キー操作が検出されなかった場合（Ｓ１０７においてＮｏ）、または、Ｓ１０８において、入力された操作キーが「有効」でなかった場合（Ｓ１０８においてＮｏ）は、経過時間がタイムアップの時間に達していないかを確認する。そして、経過時間がタイムアップの時間に達していない場合（Ｓ１０９においてＮｏ）は、引き続きキー操作を待機する（Ｓ１０７に戻る）。
【０１４９】
一方、経過時間がタイムアップの時間に達している場合（Ｓ１０９においてＹｅｓ）は、ＦＡＸ留守番電話機１０１は、一括でキーロック機能を作動させ、キーロック状態となる（Ｓ１１０）。その後、処理は終了する。
【０１５０】
以上のように、ＦＡＸ留守番電話機１０１は、キーロック機能が動作している状態で、提示情報の増加を検知したとき、増加した提示情報の情報種別に基づいて、部分的にキーロック機能を解除する。
【０１５１】
このため、上記提示情報を提示するための操作が必要なキーのみ、的確にキーロック機能を解除することができる。
【０１５２】
一方で、上記提示情報を提示するための操作が必要でない操作キーについては、確実にキーロック機能を有効にしておくことができるので、ユーザの不用意な操作によって、ＦＡＸ留守番電話機１０１が備える各種機能が誤動作することを防ぐことができる。
【０１５３】
結果として、ＦＡＸ留守番電話機１０１における、キーロック機能の利便性の向上を図ることができる。
【０１５４】
〔ＦＡＸ留守番電話機の変形例〕
以下において、図７〜９までを参照しながら、本発明に係る情報処理装置１の変形例について説明する。
【０１５５】
まず、図７を用いてＦＡＸ留守番電話機１０１の処理の流れに関する変形例について説明する。図７はＦＡＸ留守番電話機１０１の動作の一例について説明したフローチャートである。
【０１５６】
なお、図４を参照しながら説明したステップと同様の処理を行うステップについては、同一の符号を付して、その説明を省略する。すなわち、Ｓ１０１〜Ｓ１０５までは、すでに説明したとおりであるので、その説明を省略する。
【０１５７】
図７によると、ＦＡＸ留守番電話機１０１は、Ｓ４０１において、キーロック状態を一時的に解除する。すなわち、図４において示した例とは異なり、Ｓ１０４において、「有効」な操作キーが一つでも設定されていれば、他の「無効」な操作キーについても、キーロック機能を一時的に一括して解除する。
【０１５８】
次に、キーロック機能を一時的に一括して解除した時点からの時間経過を計測するため、タイマー部４４において、時間情報が初期化され、経過時間の計測が開始される（Ｓ４０２）。
【０１５９】
そして、入力部１６において、操作キーの入力を受け付ける。ここで、操作キーの入力があれば（Ｓ４０３においてＹｅｓ）、ＦＡＸ留守番電話機１０１において、「有効」な操作キーであるか否かが判定される。ここで、入力された操作キーが「有効」であれば（４０４においてＹｅｓ）、経過時間の計測を再び初期化する（Ｓ４０２に戻る）。
【０１６０】
このことは、図４を参照して示した例と異なる点の一つである。本変形例においては、「有効」な操作キーの入力がある限り、経過時間が初期化され、ＦＡＸ留守番電話機１０１において、キーロック機能が一時的に一括して解除された状態が持続する。
【０１６１】
一方、Ｓ４０３において、キー操作が検出されなかった場合（Ｓ４０３においてＮｏ）、または、Ｓ４０４において、入力された操作キーが「有効」でなかった場合（Ｓ４０４においてＮｏ）は、経過時間がタイムアップの時間に達していないかを確認する。
【０１６２】
そして、経過時間がタイムアップの時間に達していない場合（Ｓ４０５においてＮｏ）は、引き続きキー操作を待機する（Ｓ４０３に戻る）。
【０１６３】
一方、経過時間がタイムアップの時間に達している場合（Ｓ４０５においてＹｅｓ）は、Ｓ４０４において、「有効」になった操作キー以外の操作キーについては、再びキーロック状態とする。そして、図４において示した、部分キーロック状態の処理、すなわち、Ｓ１０６〜Ｓ１０９の処理を行う（Ｓ４０６）。そして、ＦＡＸ留守番電話機１０１は、一括でキーロック機能を作動させ、キーロック状態となる（Ｓ４０７）。その後、処理は終了する。
【０１６４】
上記構成によれば、ＦＡＸ留守番電話機１０１において、部分キーロック状態となるタイミングを調整することができるので、多様なキーロック機能の制御が行える。このため、ＦＡＸ留守番電話機１０１は、ユーザのニーズに即したキーロック機能を実現できる。
【０１６５】
次に、図８および９を用いて、発光部４２の効果的な活用法について説明する。図８および９は、ＦＡＸ留守番電話機１０１の概観を示す図である。なお、図２で説明した構成に対応する構成には同一の符号を付している。例えば、図８における装置概観の左下の部分には、図２において説明した、キーロック機能ボタン６４が配置されている。その他についても同様であるので、各部位の説明は省略する。
【０１６６】
ここで、本実施の形態の変形例として、ＦＡＸ留守番電話機１０１が、部分キーロック状態となったとき、「有効」な操作キーのみを発光部４２によって点灯し、いずれの操作キーが「有効」となっているかを明示する構成とすることができる。例えば、図９を参照して説明すると、同図において、再生キー７４が、発光部４２によって点灯されている。これは、ＦＡＸ留守番電話機１０１において、録音情報が記録され、再生キー７４が「有効」となっている状態を示している。すなわち、もし、この状態のときに、ユーザが再生キー７４を押下すれば、ＦＡＸ留守番電話機１０１は、録音情報を情報提示部１８において提示する。
【０１６７】
上記構成によれば、ＦＡＸ留守番電話機１０１が、いずれの操作キーが「有効」となっているかを明確に示すので、ユーザの利便性が高まるという効果を奏する。
【０１６８】
〔情報処理装置の変形例〕
以下において、本発明に係る情報処理装置１をＦＡＸ留守番電話機以外の装置に適用する変形例について説明する。
【０１６９】
例えば、本発明に係る情報処理装置をビデオレコーダとして動作させる変形例が考えられる。図１を参照しながら、情報処理装置１の上記変形例について説明する。本変形例において、通信部１０は、通信網からテレビジョン放送信号を受信するものとする。そして、情報取得部３２が、通信部１０を介して、番組データを取得し、情報記録部２６に記録する。また、入力部１６は、番組データとしての提示情報の再生等を行うための操作キーを備えていればよい。情報提示部１８は、主制御部１２からビデオ信号を受信するためのテレビ画面等のユーザインターフェースを備えていればよい。
【０１７０】
上記構成によれば、情報処理装置１が、番組データを記録したとき、キーロック機能を部分的に解除することができる。例えば、特定のキーワードに関連する番組データを自動録画するような場合に適用することが想定される。
【０１７１】
その後、入力部１６の生成した操作信号に基づいて、情報提示部１８において、ビデオ信号を再生すればよい。
【０１７２】
上記の変形例のほかにも、メール受信装置、音声データ録音装置、自動写真撮影装置など種々の装置への応用が考えられる。
【０１７３】
本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【０１７４】
最後に、情報処理装置１の各ブロック、特に情報取得部３２、キーロック制御部３４、情報提示制御部３６、情報検知部３８および操作許可部４０は、ハードウェアロジックによって構成してもよいし、次のようにＣＰＵを用いてソフトウェアによって実現してもよい。
【０１７５】
すなわち、情報処理装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである情報処理装置１の制御プログラムのプログラムコード（実行形式プログラム、中間コードプログラム、ソースプログラム）をコンピュータで読み取り可能に記録した記録媒体を、上記情報処理装置１に供給し、そのコンピュータ（またはＣＰＵやＭＰＵ）が記録媒体に記録されているプログラムコードを読み出し実行することによっても、達成可能である。
【０１７６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７７】
また、情報処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【０１７８】
本発明によると、操作が必要な操作キーのみ、的確にキーロック機能を解除するよう制御を行うことができるので、キーロック機能を有し、複数の種類の提示情報を記録するような装置、例えば、携帯通信端末をはじめとする情報処理装置において、広く好適に使用できる。
【図面の簡単な説明】
【０１７９】
【図１】本発明の実施の形態を示すものであり、情報処理装置の要部構成の一例を示すブロック図である。
【図２】本発明の実施の形態を示すものであり、ＦＡＸ留守番電話機の要部構成の一例を示すブロック図である。
【図３】操作許可テーブルのデータ項目の一部を示す図である。
【図４】ＦＡＸ留守番電話機の動作の一例について説明したフローチャートである。
【図５】「初期化処理」のステップにおける定義済み処理について説明したフローチャートである。
【図６】「許可キー設定」のステップにおける定義済み処理について説明したフローチャートである。
【図７】ＦＡＸ留守番電話機の動作の一例について説明したフローチャートである。
【図８】ＦＡＸ留守番電話機の概観を示す図である。
【図９】ＦＡＸ留守番電話機の概観を示す図である。
【図１０】従来の情報処理装置としてのＦＡＸ留守番電話機の動作の一例を示すフローチャートである。
【図１１】従来の情報処理装置としてのＦＡＸ留守番電話機の動作の一例を示すフローチャートである。
【符号の説明】
【０１８０】
１      情報処理装置
２      通信網
１０    通信部
１２    主制御部
１４    記憶部
１６    入力部
１８    情報提示部（情報提示手段）
２２    操作許可テーブル
２４    基準情報量記録部（基準量記憶部）
２６    情報記録部（情報蓄積部）
３２    情報取得部（情報取得手段）
３４    キーロック制御部（ロック制御手段）
３６    情報提示制御部（情報提示手段）
３８    情報検知部（情報量検知手段）
４０    操作許可部（ロック制御手段）
【図１】
0005149084.tif 000002
【図２】
0005149084.tif 000003
【図３】
0005149084.tif 000004
【図４】
0005149084.tif 000005
【図５】
0005149084.tif 000006
【図６】
0005149084.tif 000007
【図７】
0005149084.tif 000008
【図８】
0005149084.tif 000009
【図９】
0005149084.tif 000010
【図１０】
0005149084.tif 000011
【図１１】
0005149084.tif 000012